【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
回路をウェイクアップするための方法であって、
第１の比較結果を生成するために、入力信号を第１の比較値と比較することと、
第２の比較結果を生成するために、前記入力信号を第２の比較値と比較することと、
信号を生成するために、前記第１の比較結果と前記第２の比較結果とを組み合わせることと、
前記信号を直流（ＤＣ）値に変換することと、
前記ＤＣ値に基づいて、前記回路をウェイクアップすることと、
を備える、方法。
【請求項２】
前記ＤＣ値をデジタル電圧レベルに変換するために、前記ＤＣ値をバッファすることをさらに備える、請求項１に記載の方法。
【請求項３】
インバータを使用して前記ＤＣ値をバッファすることをさらに備える、請求項２に記載の方法。
【請求項４】
ＤＣ較正のために前記入力信号を絶縁するために前記入力信号を切り替えることをさらに備える、請求項１に記載の方法。
【請求項５】
ＤＣフィルタされた入力信号を生成するために、前記入力信号をＤＣフィルタすることをさらに備える、請求項４に記載の方法。
【請求項６】
前記ＤＣフィルタされた入力信号をＤＣセットすることをさらに備える、請求項５に記載の方法。
【請求項７】
ウェイクアップ回路であって、
第１の比較結果を生成するために、入力信号を第１の比較値と比較するための手段と、
第２の比較結果を生成するために、前記入力信号を第２の比較値と比較するための手段と、
信号を生成するために、前記第１の比較結果と前記第２の比較結果とを組み合わせるための手段と、
前記信号を直流（ＤＣ）値に変換するための手段と、
前記ＤＣ値に基づいて、回路をウェイクアップするための手段と、
を備える、ウェイクアップ回路。
【請求項８】
前記ＤＣ値をデジタル電圧レベルに変換するために、前記ＤＣ値をバッファするための手段をさらに備える、請求項７に記載のウェイクアップ回路。
【請求項９】
前記ＤＣ値をバッファするための前記手段がインバータを備える、請求項８に記載のウェイクアップ回路。
【請求項１０】
ＤＣ較正のために前記入力信号を絶縁するために前記入力信号を切り替えるための手段をさらに備える、請求項７に記載のウェイクアップ回路。
【請求項１１】
ＤＣフィルタされた入力信号を生成するために、前記入力信号をＤＣフィルタするための手段をさらに備える、請求項１０に記載のウェイクアップ回路。
【請求項１２】
前記ＤＣフィルタされた入力信号をＤＣセットするための手段をさらに備える、請求項１１に記載のウェイクアップ回路。
【請求項１３】
比較するための前記手段は、前記入力信号に結合され、前記入力信号を前記第１の比較値と比較するように構成される第１の比較器において具現化され、
比較するための前記手段は、前記入力信号に結合され、前記入力信号を前記第２の比較値と比較するように構成される第２の比較器において具現化され、
組み合わせるための前記手段は、排他的なＯＲゲートにおいて具現化され、前記排他的なＯＲゲートの第１の入力は前記第１の比較器の出力に結合され、前記排他的なＯＲゲートの第２の入力は、前記第２の比較器の出力に結合される、
変換するための前記手段は、前記排他的なＯＲゲートの出力に結合され、モニタされている前記回路をウェイクアップするために、前記排他的なＯＲゲートからの前記信号を前記直流（ＤＣ）値に変換するように構成される調整可能なチャージポンプにおいて具現化される、
請求項７に記載のウェイクアップ回路。
【請求項１４】
前記ＤＣ値をデジタル電圧レベルに変換するように構成されるバッファをさらに備える、請求項１３に記載のウェイクアップ回路。
【請求項１５】
前記バッファがインバータを備える、請求項１４に記載のウェイクアップ回路。
【手続補正２】
【補正対象書類名】明細書
【補正対象項目名】００８９
【補正方法】変更
【補正の内容】
【００８９】
[00102]  先の説明は、当業者が、ここに説明された様々な態様を実施することができるように提供されている。これらの態様に対する様々な変更は、当業者に容易に理解されるものであり、ここに定義された一般的な原理は、他の態様に適用され得る。したがって、特許請求の範囲は、ここに示される態様に限定されるようには意図されておらず、請求項の文言と一致する最大の範囲を認められるべきであり、ここで、ある要素への単数形での言及は、そのように明確に述べられていない限りは「１つおよび１つのみ」を意味するのではなく、「１つまたは複数」を意味するように意図されている。「例示的な（exemplary）」という用語は、ここで「例、事例、または例示としての役割を果たす」という意味で使用される。「例示的」であるとここで説明されたいずれの態様も、必ずしも、他の態様よりも好ましいまたは有利であると解釈されるべきではない。そうでないとの明確な記載がない限り、「いくつかの／何らかの（some）」という用語は、１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」のような組合せは、Ａ、Ｂ、および／またはＣの任意の組合せを含み、マルチプルな（multiples of）Ａ、マルチプルなＢ、またはマルチプルなＣを含み得る。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」のような組合せは、Ａのみ、Ｂのみ、Ｃのみ、ＡとＢ、ＡとＣ、ＢとＣ、またはＡとＢとＣであり得、ここで、任意のこのような組合せは、Ａ、Ｂ、またはＣの１つまたは複数のメンバーを含み得る。当業者に知られている、あるいは後に知られることになる、本開示全体にわたって説明された様々な態様の要素に対するすべての構造的および機能的な同等物は、参照によってここに明示的に組み込まれ、特許請求の範囲に包含されるように意図されている。さらに、本明細書におけるいかなる開示も、そのような開示が特許請求の範囲に明確に記載されているか否かに関わらず、公衆に献呈されることを意図したものではない。「モジュール」、「メカニズム」、「要素」、「デバイス」等の用語は、「手段」という用語の代用ではない可能性がある。したがって、要素が「〜のための手段」という表現を使用して明記されていない限り、請求項のいずれの要素もミーンズプラスファンクションとして解釈されるべきではない。
以下に本願の出願当初の特許請求の範囲に記載された発明を付記する。
［Ｃ１］
ウェイクアップ回路であって、
入力信号に結合され、前記入力信号を第１の比較値と比較するように構成される第１の比較器と、
前記入力信号に結合され、前記入力信号を第２の比較値と比較するように構成される第２の比較器と、
排他的なＯＲゲートと、前記排他的なＯＲゲートの第１の入力は前記第１の比較器の出力に結合され、前記排他的なＯＲゲートの第２の入力は、前記第２の比較器の出力に結合される、
前記排他的なＯＲゲートの出力に結合され、モニタされている回路をウェイクアップするために、前記排他的なＯＲゲートからの信号を直流（ＤＣ）値に変換するように構成される調整可能なチャージポンプと、
を備える、ウェイクアップ回路。
［Ｃ２］
前記ＤＣ値をデジタル電圧レベルに変換するように構成されるバッファをさらに備える、Ｃ１に記載のウェイクアップ回路。
［Ｃ３］
前記バッファがインバータを備える、Ｃ２に記載のウェイクアップ回路。
［Ｃ４］
ＤＣ較正のために前記入力信号を絶縁するように構成される入力スイッチをさらに備える、Ｃ１に記載のウェイクアップ回路。
［Ｃ５］
前記入力スイッチを前記入力信号に結合するＤＣブロックキャパシタをさらに備える、Ｃ４に記載のウェイクアップ回路。
［Ｃ６］
ＤＣセット回路をさらに備える、Ｃ５に記載のウェイクアップ回路。
［Ｃ７］
回路をウェイクアップするための方法であって、
第１の比較結果を生成するために、入力信号を第１の比較値と比較することと、
第２の比較結果を生成するために、前記入力信号を第２の比較値と比較することと、
信号を生成するために、前記第１の比較結果と前記第２の比較結果とを組み合わせることと、
前記信号を直流（ＤＣ）値に変換することと、
前記ＤＣ値に基づいて、前記回路をウェイクアップすることと、
を備える、方法。
［Ｃ８］
前記ＤＣ値をデジタル電圧レベルに変換するために、前記ＤＣ値をバッファすることをさらに備える、Ｃ７に記載の方法。
［Ｃ９］
インバータを使用して前記ＤＣ値をバッファすることをさらに備える、Ｃ８に記載の方法。
［Ｃ１０］
ＤＣ較正のために前記入力信号を絶縁するために前記入力信号を切り替えることをさらに備える、Ｃ７に記載の方法。
［Ｃ１１］
ＤＣフィルタされた入力信号を生成するために、前記入力信号をＤＣフィルタすることをさらに備える、Ｃ１０に記載の方法。
［Ｃ１２］
前記ＤＣフィルタされた入力信号をＤＣセットすることをさらに備える、Ｃ１１に記載の方法。
［Ｃ１３］
ウェイクアップ回路であって、
第１の比較結果を生成するために、入力信号を第１の比較値と比較するための手段と、
第２の比較結果を生成するために、前記入力信号を第２の比較値と比較するための手段と、
信号を生成するために、前記第１の比較結果と前記第２の比較結果とを組み合わせるための手段と、
前記信号を直流（ＤＣ）値に変換するための手段と、
前記ＤＣ値に基づいて、回路をウェイクアップするための手段と、
を備える、ウェイクアップ回路。
［Ｃ１４］
前記ＤＣ値をデジタル電圧レベルに変換するために、前記ＤＣ値をバッファするための手段をさらに備える、Ｃ１３に記載のウェイクアップ回路。
［Ｃ１５］
前記ＤＣ値をバッファするための前記手段がインバータを備える、Ｃ１４に記載のウェイクアップ回路。
［Ｃ１６］
ＤＣ較正のために前記入力信号を絶縁するために前記入力信号を切り替えるための手段をさらに備える、Ｃ１３に記載のウェイクアップ回路。
［Ｃ１７］
ＤＣフィルタされた入力信号を生成するために、前記入力信号をＤＣフィルタするための手段をさらに備える、Ｃ１６に記載のウェイクアップ回路。
［Ｃ１８］
前記ＤＣフィルタされた入力信号をＤＣセットするための手段をさらに備える、Ｃ１７に記載のウェイクアップ回路。
［Ｃ１９］
システム内のスレーブ回路をウェイクアップするための装置であって、
固定セットのケーブル接続のうちの少なくとも１つの接続を使用して、マスタ回路と前記スレーブ回路との間でリモートウェイクアップ信号を結合するように構成される結合器と、前記少なくとも１つの接続はさらに、前記マスタ回路と前記スレーブ回路との間で第２の信号を結合する、
前記スレーブ回路において、前記マスタ回路と前記スレーブ回路との間で結合された前記リモートウェイクアップ信号を検出するように構成される検出器と、
前記マスタ回路と前記スレーブ回路との間で結合された前記リモートウェイクアップ信号を検出することに基づいて、前記スレーブ回路においてローカルウェイクアップ信号を生成し、前記ローカルウェイクアップ信号を用いて前記スレーブ回路をウェイクアップするように構成されるウェイクアップ信号ジェネレータと、
を備える、装置。
［Ｃ２０］
前記第２の信号は、前記スレーブ回路がアウェイク(awake)状態であるときに、少なくともある時間の期間の間、前記マスタ回路と前記スレーブ回路との間で結合される、Ｃ１９に記載の装置。
［Ｃ２１］
前記検出器は、
第１の比較結果を生成するために、入力信号を第１の比較値と比較することと、
第２の比較結果を生成するために、前記入力信号を第２の比較値と比較することと、
信号を生成するために、前記第１の比較結果と前記第２の比較結果とを組み合わせることと、
を行うようにさらに構成される、Ｃ１９に記載の装置。
［Ｃ２２］
前記検出器がエネルギ検出器を備える、Ｃ１９に記載の装置。
［Ｃ２３］
前記リモートウェイクアップ信号が直流（ＤＣ）電圧を備える、Ｃ１９に記載の装置。
［Ｃ２４］
前記検出器が、直流（ＤＣ）電圧を検出するようにさらに構成される、Ｃ２３に記載の装置。
［Ｃ２５］
前記リモートウェイクアップ信号が無線周波数（ＲＦ）制御信号を備える、Ｃ１９に記載の装置。
［Ｃ２６］
前記リモートウェイクアップ信号が中間周波数（ＩＦ）信号を備える、Ｃ１９に記載の装置。
［Ｃ２７］
前記リモートウェイクアップ信号がローカル発振器（ＬＯ）信号を備える、Ｃ１９に記載の装置。
［Ｃ２８］
無線周波数（ＲＦ）制御信号、中間周波数（ＩＦ）信号、またはローカル発振器（ＬＯ）信号から前記リモートウェイクアップ信号を選択するように構成される選択コンポーネントをさらに備える、Ｃ１９に記載の装置。
［Ｃ２９］
前記ＲＦ制御信号がデジタルビットシーケンスを備える、Ｃ２８に記載の装置。
［Ｃ３０］
前記リモートウェイクアップ信号をフィルタするように構成されるフィルタをさらに備える、Ｃ２９に記載の装置。